(57)【要約】      （修正有）【課題】既設の水道メーター用ピットや上流及び下流側の給水管をそのまま使用し、上流側及び下流の側給水管に確実に接続でき、必要に応じて赤水や濁水、滞留水を排水できるメーターバイパスユニットを提供する。【解決手段】ベース８に設けられ、水道メーターの上流側端部に接続される上流側切換弁９と、ベース８に上流側切換弁９と対向状に設けられ、水道メーターの下流側端部に接続される下流側切換弁１０と、水道メーターを迂回して上流側切換弁９と下流側切換弁１０を接続するバイパス管１１と、上流側切換弁９に水道メーターの軸線φに対してスイング自在で且つ軸線φ方向へ往復移動自在に、上流側給水管５の端部に設けた継手部材５ａに接続される上流側継手部材１３と、下流側切換弁１０に水道メーターの軸線φに対してスイング自在で且つ軸線φ方向へ往復移動自在に、下流側給水管６の端部に設けた継手部材６ａに接続される下流側継手部材１５を備える。【選択図】図１
2018096100.tif 000002
【特許請求の範囲】
【請求項１】
水道メーター用ピット（４）内に設置されるベース（８）と、ベース（８）に設けられ、水道メーター（１）の上流側端部が着脱自在に接続される上流側切換弁（９）と、ベース（８）に前記上流側切換弁（９）と対向状に設けられ、水道メーター（１）の下流側端部が着脱自在に接続される下流側切換弁（１０）又は仕切弁と、水道メーター（１）を迂回して上流側切換弁（９）と下流側切換弁（１０）又は上流側切換弁（９）と仕切弁の下流側を接続するバイパス管（１１）と、上流側切換弁（９）に水道メーター（１）の軸線φに対してスイング自在で且つ前記軸線φ方向へ往復移動自在に設けられ、水道メーター用ピット（４）内の上流側給水管（５）の端部に設けた継手部材（５ａ）に着脱自在に接続される上流側継手部材（１３）と、下流側切換弁（１０）又は仕切弁に水道メーター（１）の軸線φに対してスイング自在で且つ前記軸線φ方向へ往復移動自在に設けられ、水道メーター用ピット（４）内の下流側給水管（６）の端部に設けた継手部材（６ａ）に着脱自在に接続される下流側継手部材（１５）とを備えており、全体の長さ、幅、高さを既設の水道メーター用ピット（４）内に納まる大きさに設定したことを特徴とするメーターバイパスユニット。
【請求項２】
前記上流側切換弁（９）と上流側継手部材（１３）との間、前記下流側切換弁（１０）と下流側継手部材（１５）との間又は前記仕切弁と下流側継手部材（１５）との間に、伸縮性及びスイング性を有する通水可能な上流側伸縮可撓機構（１２）及び下流側伸縮可撓機構（１４）をそれぞれ介設したことを特徴とする請求項１に記載のメーターバイパスユニット。
【請求項３】
前記上流側伸縮可撓機構（１２）及び下流側伸縮可撓機構（１４）を、伸縮性及びスイング性を有する通水可能な伸縮可撓継手としたことを特徴とする請求項２に記載のメーターバイパスユニット。
【請求項４】
前記メーターバイパスユニットの上流側継手部材（１３）及び下流側継手部材（１５）と、上流側給水管（５）及び下流側給水管（６）の継手部材（６ａ）とを、それぞれフランジとしたことを特徴とする請求項１又は請求項２に記載のメーターバイパスユニット。
【請求項５】
前記バイパス管（１１）に、バイパス管（１１）内の水を外部へ排水する排水用バルブ（１６）を設けたことを特徴とする請求項１に記載のメーターバイパスユニット。
【請求項６】
前記ベース（８）に、ベース（８）の水道メーター用ピット（４）底面からの高さを調整できる高さ調整手段（１７）を設けたことを特徴とする請求項１に記載のメーターバイパスユニット。
【請求項７】
前記高さ調整手段（１７）は、ベース（８）の複数箇所に鉛直方向へ移動自在に設けた複数本の高さ調整ボルト（６９）を備えていることを特徴とする請求項６に記載のメーターバイパスユニット。
【発明の詳細な説明】
【技術分野】
【０００１】
本発明は、地中に掘削形成されて水道メーター（親メーター）や仕切弁、伸縮補足管等から成るメーター配管を収納した既設の水道メーター用ピットに対応するメーターバイパスユニットに係り、特に、既設の水道メーター用ピット内のメーター配管を交換してバイパス化する場合に用いるメーターバイパスユニットに関するものである。
【背景技術】
【０００２】
近年、各地の水道事業体では、残留塩素や衛生管理等の面で問題のある受水槽方式から、より安全でおいしい水を供給できる直結給水方式に切り替えている。
【０００３】
前記受水槽方式は、残留塩素や衛生管理等の面で問題があるが、水道メーター用ピット内の水道メーターの交換作業や土木工事によって一時的に断水しても、受水槽内の水を供給できると言う利点がある。
【０００４】
一方、前記直結給水方式は、水道本管からの水道水を直接マンション等の集合住宅や病院等の建物に導いているため、安全でおいしい水を供給できるものの、水道メーター用ピット内の水道メーターの交換作業時等においては断水となり、水を建物内へ供給することができなくなる。その結果、病院や飲食店の入っている商業施設等のように断水できない建物では、水道局やその受託業者は、夜間作業や作業日程の変更を余儀なくされることになる。
【０００５】
上述した直結給水方式における問題は、水道メーター用ピット内のメーター配管をバイパス化することにより解決することができる。
【０００６】
水道メーター用ピット内のメーター配管をバイパス化するには、図５に示すような既設の水道メーター用ピット８０内に、メーター配管８１に換えて仕切弁や継手、バイパス管等から成るバイパス配管８２を組み込んだり、また、図示していないが、既設の水道メーター用ピット内に、メーター配管に換えて切換弁やバイパス管等から成るメーターバイパスユニット（特許文献１及び特許文献２）を組み込んだり、或いは、図６に示すような既設の水道メーター用ピット８０内に、メーター配管８１に換えてメーターバイパスユニットがボックスと一体化されたボックス付メーターバイパスユニット８３（特許文献３及び非特許文献１）を組み込んだりすれば良い。
【０００７】
尚、図５及び図６において、８４は水道メーター用ピットの開閉蓋、８５は上流側給水管、８６は下流側給水管、８７は仕切弁、８８は伸縮補足管、８９は水道メーター、９０はハウジング形継手、９１はフランジ継手である。
【０００８】
図７は上述したボックス付メーターバイパスユニット８３の概略説明図を示し、当該ボックス付メーターバイパスユニット８３は、開閉可能なボックス９２内に、水道メーター用ピット８０内の上流側給水管８５に接続される流路切換弁９３（三方弁）と、流路切換弁９３に対向状に配設され、水道メーター用ピット８０内の下流側給水管８６に接続される仕切弁９４と、流路切換弁９３と仕切弁９４の下流側とを接続するバイパス管９５等を収納したものであり、流路切換弁９３と仕切弁９４との間に接続手段を用いて水道メーター８９を着脱自在に取り付け可能としたものである。
【０００９】
而して、前記ボックス付メーターバイパスユニット８３によれば、通常上流側給水管８５からの水は、流路切換弁９３、水道メーター８９、仕切弁９４を通って下流側給水管８６へ流れている。
【００１０】
この状態から流路切換弁９３を切換操作し、その後仕切弁９４を閉じると、上流側給水管８５からの水は、水道メーター８９側へ流れず、バイパス管９５を通って下流側給水管８６へ流れることになる。その結果、水道メーター８９の交換時に断水するのを防止することができる。
【００１１】
このように、水道メーター用ピット８０内の既設のメーター配管８１をボックス付メーターバイパスユニット８３に交換すれば、水道メーター８９の交換作業中でも断水すると言うことがなく、利用者は水を使い続けることができる。
【００１２】
ところで、上述したように水道メーター用ピット８０内のメーター配管８１をバイパス化する場合、新設の物件であれば、新築工事に合わせて施工できるが、既設の水道メーター用ピット８０内のメーター配管８１に換えてバイパス配管８２を組み込む場合、バイパス配管８２が既設の水道メーター用ピット８０内に収まり切らないことがあり、そのため、周囲の土木工事を必要とすることがある。
【００１３】
即ち、既設の水道メーター用ピット８０を広げ、上流側給水管８５及び下流側給水管８６にバイパス配管８２を繋いで新たに水道メーター用ピットを組まなければならない。このとき、周辺の設備（例えば、エアコンの室外機等）を撤去したり、舗装済みの地面を掘り返す必要があり、大掛かりな工事となる。
【００１４】
また、既設の水道メーター用ピット８０内のメーター配管８１に換えてボックス付メーターバイパスユニット８３を組み込む場合でも、殆どの場合、既設の水道メーター用ピット８０よりも長くなるため、バイパス配管８２のときと同様に周囲の土木工事を必要とすると共に、不要となる水道メーター用ピット８０を解体・撤去する工事が必要となり、製品自体もボックスの分だけ重量が増し、取扱性に劣ることになる。
【００１５】
しかも、ボックス付メーターバイパスユニット８３の埋設深さが変わるため、上流側給水管８５及び下流側給水管８６とボックス付メーターバイパスユニット８３との接続位置を合わせなければならないので、図６の一点差線で示すようにフランジを外して上流側給水管８５及び下流側給水管８６を持ち上げる等の工事も必要になる。
【００１６】
このように、バイパス配管８２やボックス付メーターバイパスユニット８３を既設の水道メーター用ピット８０内に組み込む場合には、何れしても水道メーター用ピット８０の周囲を掘削しなければならず、施工範囲が広くなり、施工時間が大幅に長くなると共に、コストも高くなると言う問題がある。また、建物の入居者の業務や生活に支障を来すことがある。
【００１７】
特に、施工範囲に何もない場合には問題ないが、施工範囲にエアコンの室外機や駐輪場のような何かの設備がある場合には、影響が大きくなる。
【００１８】
更に、上流側給水管８５及び下流側給水管８６は、施工時の残留応力や長年の地盤の変化によって、仕様通りの寸法になっていないことが多く、上流側給水管８５と下流側給水管８６の軸芯がずれていたり、両給水管８５，８６のフランジ同士の面間距離が変化していたりすることがあり、両給水管８５，８６とバイパス配管８２の接続、両給水管８５，８６とボックス付メーターバイパスユニット８３の接続に支障を来すことがある。
【先行技術文献】
【特許文献】
【００１９】
【特許文献１】特開平８−２２６８３１号公報
【特許文献２】特開２０１３−１５１７８９号公報
【特許文献３】特開２００５−６０９６３号公報
【非特許文献】
【００２０】
【非特許文献１】株式会社日邦バルブのホームページ内のＭＢＵメータバイパスユニット、［平成２８年１１月２２日検索］、インターネット＜ＵＲＬ：https://www.nippov.co.jp/product/2016/07/MBU.php＞
【発明の概要】
【発明が解決しようとする課題】
【００２１】
本発明は、このような問題点に鑑みて為されたものであり、その目的は、既設の水道メーター用ピットや上流側給水管及び下流側給水管をそのまま使用することができ、水道メーター用ピットの拡張工事や解体・撤去作業を不要とすると共に、ボックスも不要となって軽量化を図れ、また、施工時間の大幅な短縮やコストの大幅な削減を図れ、更に、上流側給水管と下流側給水管の軸芯のずれや両給水管のフランジ同士の面間距離のばらつきに関係なく、上流側給水管及び下流側給水管に確実且つ良好に接続でき、しかも、必要に応じて赤水や濁水、滞留水を排水できるようにしたメーターバイパスユニットを提供することにある。
【課題を解決するための手段】
【００２２】
上記目的を達成するために、本発明に係るメーターバイパスユニットは、水道メーター用ピット内に設置されるベースと、ベースに設けられ、水道メーターの上流側端部が着脱自在に接続される上流側切換弁と、ベースに前記上流側切換弁と対向状に設けられ、水道メーターの下流側端部が着脱自在に接続される下流側切換弁又は仕切弁と、水道メーターを迂回して上流側切換弁と下流側切換弁又は上流側切換弁と仕切弁の下流側を接続するバイパス管と、上流側切換弁に水道メーターの軸線に対してスイング自在で且つ前記軸線方向へ往復移動自在に設けられ、水道メーター用ピット内の上流側給水管の端部に設けた継手部材に着脱自在に接続される上流側継手部材と、下流側切換弁又は仕切弁に水道メーターの軸線に対してスイング自在で且つ前記軸線方向へ往復移動自在に設けられ、水道メーター用ピット内の下流側給水管の端部に設けた継手部材に着脱自在に接続される下流側継手部材とを備えており、全体の長さ、幅、高さを既設の水道メーター用ピット内に納まる大きさに設定したことに特徴がある。
【００２３】
前記上流側切換弁と上流側継手部材との間、前記下流側切換弁と下流側継手部材との間又は前記仕切弁と下流側継手部材との間に、伸縮性及びスイング性を有する通水可能な上流側伸縮可撓機構及び下流側伸縮可撓機構をそれぞれ介設することが好ましい。
【００２４】
前記上流側伸縮可撓機構及び下流側伸縮可撓機構を、伸縮性及びスイング性を有する通水可能な伸縮可撓継手とすることが好ましい。
【００２５】
前記メーターバイパスユニットの上流側継手部材及び下流側継手部材と、上流側給水管及び下流側給水管の継手部材とを、それぞれフランジとすることが好ましい。
【００２６】
前記バイパス管に、バイパス管内の水を外部へ排水する排水用バルブを設けることが好ましい。
【００２７】
前記ベースに、ベースの水道メーター用ピット底面からの高さを調整できる高さ調整手段を設けることが好ましい。
【００２８】
前記高さ調整手段は、ベースの複数箇所に鉛直方向へ移動自在に設けた複数本の高さ調整ボルトを備えていることが好ましい。
【発明の効果】
【００２９】
本発明のメーターバイパスユニットは、両端の継手部材（フランジ）部分に伸縮可撓機構（伸縮可撓継手）を組み込むと共に、全体の長さ、幅、高さを既設の水道メーター用ピット内に納まる大きさに設定しているため、既設の水道メーター用ピット内のメーター配管をメーターバイパスユニットに交換する場合にメーターバイパスユニットを既設の水道メーター用ピット内に問題なく設置することができる。
その結果、本発明のメーターバイパスユニットを用いれば、水道メーター用ピットの拡張工事や解体・撤去作業が不要になると共に、給水管に手を加えることがなく、また、ボックスも不要となって大幅な軽量化を図ることができ、更に、施工時間の大幅な短縮やコストの大幅な削減を図ることができる。そのうえ、水道メーターの交換作業時の断水をなくすことができ、夜間作業や建物の入居者とのすり合わせも不要となる。
【００３０】
また、本発明のメーターバイパスユニットは、上流側切換弁と上流側継手部材（フランジ）との間、下流側切換弁又は仕切弁と下流側継手部材（フランジ）との間に、上流側伸縮可撓機構（伸縮可撓継手）及び下流側伸縮可撓機構（伸縮可撓継手）をそれぞれ介設し、上流側継手部材及び下流側継手部材を水道メーターの軸線に対してスイング自在で且つ前記軸線方向へ往復移動自在とする構成としているため、給水管の施工時の残留応力や長年の地盤の変化によって、上流側給水管及び下流側給水管が仕様通りの寸法になっていない場合であっても、上流側継手部材と下流側継手部材の間隔や向きを変えることによって、上流側給水管及び下流側給水管に接続することができる。
その結果、本発明のメーターバイパスユニットを用いれば、上流側給水管と下流側給水管の軸芯のずれや両給水管のフランジ同士の面間距離のばらつきに関係なく、上流側給水管及び下流側給水管に確実且つ良好に接続することができる。
【００３１】
更に、本発明のメーターバイパスユニットは、ベースにベースの高さ位置を調整できる高さ調整手段を設けているため、上流側給水管及び下流側給水管により確実且つ良好に接続することができる。
【００３２】
加えて、本発明のメーターバイパスユニットは、バイパス管にユニット内の水を外部へ排水する排水用バルブを設ける構成としているため、必要に応じて赤水や濁水、滞留水を排水することができる。
即ち、本発明のメーターバイパスユニットを用いれば、メーターバイパスユニットの設置後に再通水するときに、給水管内に付着した赤錆や堆積物が押し流され、赤水や濁水が発生しても、これをバイパス管に設けた排水用バルブから排水することができ、また、水道メーターの交換時にバイパス管内の滞留水（水質が低下し、赤錆や堆積物を含んでいることがある）を排水することができる。
【図面の簡単な説明】
【００３３】
【図１】本発明の実施形態に係るメーターバイパスユニットの一部切欠平面図である。
【図２】同じくメーターバイパスユニットの一部切欠正面図である。
【図３】同じくメーターバイパスユニットの縦断側面図である。
【図４】既設の水道メーター用ピットのメーター配管をメーターバイパスユニットに交換した場合を示し、（Ａ）はメーター配管を収納した既設の水道メーター用ピットの平面図、（Ｂ）はメーターバイパスユニットに交換した水道メーター用ピットの平面図である。
【図５】メーター配管を収納した既設の水道メーター用ピットとバイパス配管との関係を示す縦断正面図である。
【図６】メーター配管を収納した既設の水道メーター用ピットとボックス付メーターバイパスユニットとの関係を示す縦断正面図である。
【図７】ボックス付メーターバイパスユニットの概略図である。
【発明を実施するための形態】
【００３４】
以下、本発明の実施形態を図面に基づいて詳細に説明する。
図１〜図３は本発明の一実施形態に係るメーターバイパスユニットを示し、当該メーターバイパスユニットは、地中に掘削形成されて水道メーター１（親メーター）や仕切弁２、伸縮補足管３等から成るメーター配管を収納した既設の水道メーター用ピット４に対応するものであり、図４に示す如く、既設の水道メーター用ピット４内のメーター配管を交換してバイパス化する場合に用いるものである。
【００３５】
尚、図４において、１ａは水道メーター１の継手部材（フランジ）、２ａは仕切弁２の継手部材（フランジ）、３ａは伸縮補足管３の継手部材（フランジ）、５は上流側給水管、５ａは上流側給水管５の継手部材（フランジ）、６は下流側給水管、６ａは下流側給水管６の継手部材（フランジ）、７はハウジング形継手である。
【００３６】
前記メーターバイパスユニットは、水道メーター用ピット４内に設置されるベース８と、ベース８に設けられ、水道メーター１の上流側端部が着脱自在に接続される上流側切換弁９と、ベース８に前記上流側切換弁９と対向状に設けられ、水道メーター１の下流側端部が着脱自在に接続される下流側切換弁１０と、水道メーター１を迂回して上流側切換弁９と下流側切換弁１０とを接続するバイパス管１１と、上流側切換弁９に上流側伸縮可撓機構１２を介して水道メーター１の軸線φに対してスイング自在で且つ前記軸線φ方向へ往復移動自在に設けられ、水道メーター用ピット４内の上流側給水管５の端部に設けた継手部材５ａに着脱自在に接続される上流側継手部材１３と、下流側切換弁１０に下流側伸縮可撓機構１４を介して水道メーター１の軸線φに対してスイング自在で且つ前記軸線φ方向へ往復移動自在に設けられ、水道メーター用ピット４内の下流側給水管６の端部に設けた継手部材６ａに着脱自在に接続される下流側継手部材１５と、バイパス管１１に設けた排水用バルブ１６と、ベース８に設けた高さ調整手段１７とを備えている。
【００３７】
また、前記メーターバイパスユニットの全長、全幅及び全高は、既設の水道メーター用ピット４内に納まり、且つ水道メーター用ピット４への収納後に水道メーター用ピット４内で無理なく作業できるスペースが確保される大きさに設定されている。
【００３８】
この実施形態においては、前記メーターバイパスユニットは、例えば、兵庫県芦屋市で採用されている呼び径５０用の水道メーター用ピット４（長さ１０００ｍｍ、幅６００ｍｍ、深さ約７００ｍｍのピット）に納まる大きさに形成されており、全長（上流側継手部材１３と下流側継手部材１５の面間距離）が７３３ｍｍ〜７６７ｍｍ、全幅(図１の上下方向の幅)が３０６ｍｍ、全高(図２の上下方向の高さ)が２４０ｍｍにそれぞれ設定されている。また、このメーターバイパスユニットの接続形式は、上流側及び下流側の両方がフランジ接続となっている。更に、このメーターバイパスユニットの重量は、４３ｋｇとなっている。因みに、他社製品の従来のボックス付メーターバイパスユニットの重量は、約７０ｋｇとなっている。
【００３９】
前記ベース８は、軽量化を図るために金属材により格子構造に形成されており、水平部８ａと、水平部８ａに連設された垂直部８ｂとを備えている。このベース８の水平部８ａ及び垂直部８ｂには、上流側切換弁９及び下流側切換弁１０が固定ボルト１８により固定されている。
【００４０】
前記上流側切換弁９は、入口１９、出口２０及びバイパス側出口２１を有するボールバルブ構造の三方弁に構成されており、上流側本体胴２２と、複数のボールシート２３と、通水孔を有する上流側ボール２４と、ベース側押え２５と、分岐側押え２６と、上流側ステム２７等を備えている。この上流側切換弁９は、ベース８の一端部にその出口２０が下流側切換弁１０側を向く姿勢で固定ボルト１８により固定されている。
【００４１】
また、上流側切換弁９は、上流側切換弁９の出口２０内周面に気密状態で且つ下流側切換弁１０側へスライド自在に挿入され、水道メーター１の上流側端部にハウジング形の管継手２８を介して接続される筒状のスライド補足管２９と、スライド補足管２９内に配設したストレーナ３０と、上流側切換弁９の出口２０外周面に下流側切換弁１０側へ移動自在に螺着され、止めネジ３１によりスライド補足管２９に連結されたスライドハンドル３２とを備えており、スライドハンドル３２を正逆回転操作することによって、スライド補足管２９及びスライドハンドル３２が下流側切換弁１０側又は上流側切換弁９側へスライドするようになっている。これにより、異なる長さの水道メーター１に対応することができる。
【００４２】
而して、前記上流側切換弁９は、上流側ボール２４を上流側ステム２７により９０度正逆回転操作すると、入口１９と出口２０又は入口２０とバイパス側出口２１がそれぞれ連通状になって水が水道メーター１側又はバイパス管１１側へ流れるようになっている。
【００４３】
前記下流側切換弁１０は、入口３３、出口３４及びバイパス側入口３５を有するボールバルブ構造の三方弁に構成されており、下流側本体胴３６と、複数のボールシート３７と、通水孔を有する下流側ボール３８と、下流側ステム３９等を備えている。この下流側切換弁１０は、ベース８の他端部にその入口３３が上流側切換弁９の出口２０側を向く姿勢で固定ボルト１８により固定されている。
【００４４】
また、下流側切換弁１０は、下流側切換弁１０の入口３３外周面に螺着され、水道メーター１の下流側端部に設けた継手部材１ａ（フランジ）にガスケット４０を介して当接するメーター用フランジ４１と、メーター用フランジ４１に水道メーター１側へ突出する状態で設けられ、水道メーター１の継手部材１ａ（フランジ）に形成した位置決め穴に抜き差し自在に挿着される位置決めピンと４２を備えており、位置決めピン４２を継手部材１ａ（フランジ）の位置決め穴に挿入し、この状態で上流側切換弁９のスライドハンドル３２を回転操作してスライド補足管２９を下流側切換弁１０側へスライドさせると、水道メーター１の継手部材１ａ（フランジ）と下流側切換弁１０のメーター用フランジ４１とがガスケット４０を介して気密状に圧着されて両フランジ１ａ，４１間がシールされることになる。
【００４５】
而して、前記下流側切換弁１０は、下流側ボール３８を下流側ステム３９により９０度正逆回転操作すると、入口３３と出口３４又はバイパス側入口３５と出口３４がそれぞれ連通状になって水が水道メーター１から下流側切換弁１０側へ又はバイパス管１１から下流側切換弁１０側へ流れるようになっている。
【００４６】
尚、図２において、４４は上流側ステム押え、４５は密閉プラグ、４６は操作防止キャップ、４７は保護キャップ、４８はプラグ、４９は下流側ステム押えである。
【００４７】
前記バイパス管１１は、上流側切換弁９のバイパス側出口２１に気密状に接続された上流側エルボ５０と、下流側切換弁１０のバイパス側入口３５に気密状に接続された下流側エルボ５１と、両端部が上流側エルボ５０及び下流側エルボ５１にそれぞれ気密状に接続された直管５２とを備えており、上流側切換弁９及び下流側切換弁１０を切換操作すると、上流側切換弁９からの水が水道メーター１を通って下流側切換弁１０側へ流れたり、また、上流側切換弁９からの水がバイパス管１１を通って下流側切換弁１０側へ流れたりすることになる。
【００４８】
前記上流側継手部材１３は、水道メーター用ピット４内の上流側給水管５の端部に設けた継手部材５ａ（この例では、フランジ）にボルト５３及びナット５４を介して着脱自在に接続されるフランジから成り、上流側切換弁９の入口１９に上流側伸縮可撓機構１２を介して水道メーター１の軸線φに対してスイング自在で且つ前記軸線φ方向へ往復移動自在に設けられている。
【００４９】
前記上流側伸縮可撓機構１２は、伸縮性及びスイング性を有する通水可能な伸縮可撓継手から成り、上流側切換弁９の入口１９に気密状に嵌着され、凹状球面を有する上流側可撓胴５５（この上流側可撓胴５５はボールシート２３を介して上流側ボール２４を押える機能を有する）と、上流側可撓胴５５の凹状球面に摺動自在に支持され、外周面が凸状球面に形成された上流側ボールスリーブ５６と、上流側可撓胴５５に螺着され、上流側ボールスリーブ５６の凸状球面に摺動自在な凹状球面を有する上流側ボールスリーブ押え５７と、上流側ボールスリーブ５６に上流側給水管５側へスライド自在に挿通され、基端部に上流側ボールスリーブ５６に当接するストッパー部を有する上流側伸縮管５８と、上流側可撓胴５５と上流側ボールスリーブ５６の間、上流側ボールスリーブ５６と上流側伸縮管５８との間にそれぞれ介設されたシール用のＯリング５９と、上流側可撓胴５５及び上流側ボールスリーブ押え５７の外周面に被せられたゴム製の上流側ダストカバー６０とを備えており、前記上流側ボールスリーブ５６の先端部外周面に上流側継手部材１３（フランジ）が取り付け固定されている。
【００５０】
従って、前記上流側伸縮可撓機構１２によれば、上流側伸縮管５８を上流側ボールスリーブ５６に対してスライド移動させると、上流側継手部材１３が水道メーター１の軸線φ方向へ往復移動自在となり、また、上流側ボールスリーブ５６を上流側可撓胴５５に対して揺動させると、上流側継手部材１３が水道メーター１の軸線φに対してスイング自在となる。
【００５１】
前記下流側継手部材１５は、水道メーター用ピット４内の下流側給水管６の端部に設けた継手部材６ａ（この例では、フランジ）にボルト５３及びナット５４を介して着脱自在に接続されるフランジから成り、下流側切換弁１０の出口３４に下流側伸縮可撓機構１４を介して水道メーター１の軸線φに対してスイング自在で且つ前記軸線φ方向へ往復移動自在に設けられている。
【００５２】
前記下流側伸縮可撓機構１４は、伸縮性及びスイング性を有する通水可能な伸縮可撓継手から成り、下流側切換弁１０の出口３４に気密状に嵌着され、凹状球面を有する下流側可撓胴６１（この下流側可撓胴６１はボールシート３７を介して下流側ボール３８を押える機能を有する）と、下流側可撓胴６１の凹状球面に摺動自在に支持され、外周面が凸状球面に形成された下流側ボールスリーブ６２と、下流側可撓胴６０に螺着され、下流側ボールスリーブ６２の凸状球面に摺動自在な凹状球面を有する下流側ボールスリーブ押え６３と、下流側ボールスリーブ６２に下流側給水管６側へスライド自在に挿通され、基端部に下流側ボールスリーブ６２に当接するストッパー部を有する下流側伸縮管６４と、下流側可撓胴６１と下流側ボールスリーブ６２の間、下流側ボールスリーブ６２と下流側伸縮管６４との間にそれぞれ介設されたシール用のＯリング６５と、下流側可撓胴６１及び下流側ボールスリーブ押え６３の外周面に被せられたゴム製の下流側ダストカバー６６とを備えており、前記下流側ボールスリーブ６２の先端部外周面に下流側継手部材１５（フランジ）が取り付け固定されている。
【００５３】
従って、前記下流側伸縮可撓機構１４によれば、下流側伸縮管６４を下流側ボールスリーブ６２に対してスライド移動させると、下流側継手部材１５が水道メーター１の軸線φ方向へ往復移動自在となり、また、下流側ボールスリーブ６２を下流側可撓胴６１に対して揺動させると、下流側継手部材１５が水道メーター１の軸線φに対してスイング自在となる。
【００５４】
尚、この実施形態においては、上流側伸縮可撓機構１２及び下流側伸縮可撓機構１４は、何れも最大十数ミリ伸長できると共に、上流側継手部材１３及び下流側継手部材１５を水道メーター１の軸線φに対して任意の方向へ１２°傾斜できるように設定されている。
【００５５】
前記排水用バルブ１６は、バイパス管１１の上流側端部に設けられており、この実施形態では、バイパス管１１の上流側エルボ５０に継手６７を介して接続されている。また、この排水用バルブ１６には、ボールバルブ構造の手動式の止水栓が使用されている。
【００５６】
前記高さ調整手段１７は、ベース８に設けられており、ベース８の水道メーター用ピット４底面からの高さを調整できるものである。
【００５７】
この実施形態においては、高さ調整手段１７は、ベース８の水平部の四隅に設けた固定ナット６８と、各固定ナット６８に鉛直方向へ移動自在に螺挿された四本の高さ調整ボルト６９と、高さ調整ボルト６９をロックするロックナット７０とを備えており、ベース８に対する高さ調整ボルト６９の高さを変えることによって、ベース８の水道メーター用ピット４底面からの高さを調整することができるようになっている。
【００５８】
次に、既設の水道メーター用ピット４内のメーター配管を上述したメーターバイパスユニットに交換する場合について説明する。
【００５９】
先ず、止水栓（図示省略）により上流側給水管及び下流側給水管内の水の流れを止めると共に、水道メーター用ピット４の開閉蓋を開ける。このとき、両給水管５，６の継手部材５ａ，６ａ間（フランジ間）の面間距離がメーターバイパスユニットの対応範囲内であるかどうかの確認を行う。
【００６０】
両給水管５，６の継手部材５ａ，６ａ間（フランジ間）の面間距離の確認を行い、メーターバイパスユニットの対応範囲内であれば、上流側給水管５及び下流側給水管６とメーター配管とを接続するフランジ継手（仕切弁２の継手部材２ａ，上流側給水管５の継手部材５ａ，水道メーター１の継手部材１ａ，下流側給水管６の継手部材６ａ）を外し、メーター配管（仕切弁２や伸縮補足管３等）を水道メーター用ピット４内から取り出す。
【００６１】
メーター配管を水道メーター用ピット４から取り出したら、水道メーター用ピット４や両給水管５，６の継手部材５ａ，６ａ（フランジ）等に異常がないか確認する。
【００６２】
水道メーター用ピット４や両給水管５，６の継手部材５ａ，６ａ（フランジ）等に異常がなかったら、ハンドクレーン等でメーターバイパスユニットを吊り下げて水道メーター用ピット４内に収納する。
【００６３】
その後、上流側継手部材１３が上流側給水管５の継手部材５ａに、また、下流側継手部材１５が下流側給水管６の継手部材６ａにそれぞれ完全に合致するように、高さ調整手段１７、上流側伸縮可撓機構１２及び下流側伸縮可撓機構１４をそれぞれ操作し、メーターバイパスユニットの長さ調整や上流側継手部材１３及び下流側継手部材１５の位置調整を行った後、上流側継手部材１３及び下流側継手部材１５を両給水管５，６の継手部材５ａ，６ａにそれぞれ接続する。
【００６４】
そして、メーターバイパスユニットの上流側切換弁９及び下流側切換弁１０を操作してバイパス管１１側に通水し、エアー抜きと漏れ等の異常がないかを確認する。
【００６５】
漏れ等の異常がないのを確認したら、メーターバイパスユニットに水道メーター１を取り付け、エアー抜きと漏れ等の異常がないかを確認する。
【００６６】
最後に、上流側給水管５から下流側給水管６への通水を確認して施工完了となる。
【００６７】
このように、上述したメーターバイパスユニットは、既設の水道メーター用ピット４内に問題なく設置することができるので、水道メーター用ピット４の拡張工事や解体・撤去作業が不要になると共に、両給水管５，６に手を加える必要もなく、また、ボックスも不要となって大幅な軽量化を図ることができ、更に、施工時間の大幅な短縮やコストの大幅な削減を図ることができる。そのうえ、水道メーター１の交換作業時の断水をなくすことができ、夜間作業や建物の入居者とのすり合わせも不要となる。この実施形態では、既設のメーター配管からメーターバイパスユニットへの交換を約３０分で行えた。
【００６８】
また、メーターバイパスユニットは、上流側伸縮可撓機構１２と、下流側伸縮可撓機構１４と、高さ調整手段１７とを備えているため、上流側給水管５と下流側給水管６の軸芯のずれや両給水管５，６の継手部材５，６同士（フランジ同士）の面間距離のばらつきに関係なく、上流側給水管５及び下流側給水管６に確実且つ良好に接続することができる。
【００６９】
更に、メーターバイパスユニットは、バイパス管１１に排水用バルブ１６を設けているので、メーターバイパスユニットの設置後に再通水するときに、給水管内に付着した赤錆や堆積物が押し流されて赤水や濁水が発生しても、これをバイパス管１１に設けた排水用バルブ１６から排水することができ、また、水道メーター１の交換時にバイパス管１１内の滞留水（水質が低下し、赤錆や堆積物を含んでいることがある）を排水することができる。
【００７０】
ところで、排水用バルブ１６による排水作業は、上流側切換弁９及び下流側切換弁１０を切換操作して上流側切換弁９の入口１９と出口２０とを、また、下流側切換弁１０の入口３３とバイパス側入口３５とをそれぞれ連通状態にし、この状態で排水用バルブ１６を開放してメーターバイパスユニットに通水することにより行われる。このとき、排水用バルブ１６をバイパス管１１の上流側（上流側エルボ）に設けているため、メーターバイパスユニット内の赤水や滞留水等を全て排水することができる。
【００７１】
尚、上記の実施形態においては、上流側切換弁９及び下流側切換弁１０にボールバルブ構造の三方弁を使用するようにしたが、他の実施形態においては、上流側切換弁９をボールバルブ構造の三方弁とし、下流側切換弁１０に替えて仕切弁（図示省略）を使用するようにしても良い。この場合、仕切弁の下流側に分岐継手（図示省略）を介してバイパス管１１の下流側端部を接続する。
【００７２】
また、上記の実施形態においては、上流側継手部材１３及び下流側継手部材１５をフランジとしたが、他の実施形態においては、上流側継手部材１３及び下流側継手部材１５をネジ式の継手（図示省略）としても良い。
【００７３】
更に、上記の実施形態においては、バイパス管１１を上流側エルボ５０、下流側エルボ５１及び直管５２から形成したが、他の実施形態においては、バイパス管１１を上流側エルボ５０、下流側エルボ５１及び直管５２を一体化したバイパス管１１としても良い。
【００７４】
加えて、ベース８、上流側切換弁９、下流側切換弁１０上流側伸縮可撓機構１２、下流側伸縮可撓機構１４、排水用バルブ１６及び高さ調整手段１７も上記の実施形態に係るものに限定されるものではなく、それぞれの機能を発揮できるものであれば、如何なる形状及び構造のものであっても良い。
【符号の説明】
【００７５】
１は水道メーター、４は水道メーター用ピット、５は上流側給水管、５ａは上流側給水管の継手部材、６は下流側給水管、６ａは下流側給水管の継手部材、８はベース、９は上流側切換弁、１０は下流側切換弁、１１はバイパス管、１２は上流側伸縮可撓機構、１３は上流側継手部材、１４は下流側伸縮可撓機構、１５は下流側継手部材、１６は排水用バルブ、１７は高さ調整手段、６９は高さ調整ボルト、φは軸線。
【図１】
2018096100.tif 000003
【図２】
2018096100.tif 000004
【図３】
2018096100.tif 000005
【図４】
2018096100.tif 000006
【図５】
2018096100.tif 000007
【図６】
2018096100.tif 000008
【図７】
2018096100.tif 000009